(57)【要約】【課題】前面パネルの取り付けが容易で、しかも取り付け部での折れなどが無い空気調和機を提供する。【解決手段】図示しない圧縮機、送風ファンを内蔵する外郭１ａは、底板部２と、前面パネル４と、天板部５と、左右の側板部３から構成され、前面パネル４は金属製の主板部１０と主板部１０に固定された樹脂製の前面部９で形成され、前記各側板部３の上下に被係合部８を設け、主板部１０の後部に被係合部８に着脱自在に係合する係合部１１を設けたもので、前面パネル４は、係合部１１と被係合部８とで、左右、上下の位置で固定されるので、前面パネル４の下部と底板部２とのネジ等による固定は不用となり、また、係合部１１は金属のため樹脂部品に発生するような応力による変形や折れは発生しない。【選択図】図１
2005180793.tif 000002
【特許請求の範囲】
【請求項１】
圧縮機、送風ファンを内蔵する外郭を有し、前記外郭は、底板部と、前面パネルと、天板部と、左右の側板部から構成され、前記前面パネルは金属板からなる主板部と前記主板部に固定された樹脂製の前面部で形成され、前記左右の各側板部の上下に被係合部を設け、前記主板部の後部に前記被係合部に着脱自在に係合する係合部を設けたことを特徴とする空気調和機。
【請求項２】
天板部の外周部にフランジ部を設け、前面パネルの上辺部の外周を前記フランジ部で保持することを特徴とする請求項１記載の空気調和機。
【請求項３】
被係合部を縦長の穴形状とし、係合部は主板部の両側辺部に少なくとも一つかつ凸状に形成され、前記係合部を前記被係合部に差し込んで上下方向にスライドさせて係合するようにしたことを特徴とする請求項１又は２記載の空気調和機。
【請求項４】
主板部と側板部の少なくとも一方に、係合部と被係合部との係合隙間をつめるための突起部を形成したことを特徴とする請求項１〜３のいずれか１項記載の空気調和機。
【請求項５】
被係合部の下方にあざ折り部を形成したこと特徴とする請求項１〜３のいずれか１項記載の空気調和機。
【発明の詳細な説明】
【技術分野】
【０００１】
本発明は、空気調和機に関するもので、特に前面パネルの取付け構造に関するものである。
【背景技術】
【０００２】
従来の空気調和機の室外ユニットの前面パネルの取付け構造について、図８、９を用いて説明する。
【０００３】
図８、９において、空気調和機の室外ユニット１の外郭１ａは、底板部２と、それぞれ上端に切り欠き部７を備えた左右の側板部３と、樹脂製で上部両端に突起部６を有する前面パネル４と、天板部５から構成され、前面パネル４の取付けは、突起部６を側板部３に形成された切り欠き部７に係合させ、前面パネル４の下端をネジ４ａで底板部２の前部にネジ止めしていた。そして、側板部３の切り欠き部７と前面パネル４の突起部６との係合部分に天板部５を被せて外郭１が組み立てられていた（例えば、特許文献１参照）。
【特許文献１】特開平５−１３３５６３号公報（図１）
【発明の開示】
【発明が解決しようとする課題】
【０００４】
しかしながら、上記従来の空気調和機の外郭１ａの構成では、前面パネル４の下部を底板部２にネジ４ａでネジ固定するようになっているため、組立およびサービス時の作業に多くの工数がかかっていた。また、樹脂で形成された前面パネル４の上部左右に形成した突起部６が応力により変形または折れ易いという課題も有していた。
【０００５】
さらに、前面パネル４の突起部６を側板部３に設けた切り欠き部７に係合さた時にガタツキが生じるという課題も有していた。
【０００６】
本発明は、このような従来の課題を解決するもので、簡単な構成で前面パネルの取り付けが容易で、しかも、係合部でのがたつきの無い空気調和機を提供することを目的とする。
【課題を解決するための手段】
【０００７】
前記従来の課題を解決するために、本発明の空気調和機は、圧縮機、送風ファンを内蔵する外郭を有し、前記外郭は、底板部と、前面パネルと、天板部と、左右の側板部から構成され、前記前面パネルは金属板からなる主板部と前記主板部に固定された樹脂製の前面部で形成され、前記左右の各側板部の上下に被係合部を設け、前記主板部の後部に前記被係合部に着脱自在に係合する係合部を設けたもので、前面パネルは、係合部と被係合部とで、左右、上下の位置で固定されるので、前面パネルの下部を底板部にネジ等で固定する必要がなくなり、組立およびサービス時の作業が容易である。また、主板部に設けた係合部は金属のため樹脂部品に発生するような応力による変形や折れは発生しない。
【発明の効果】
【０００８】
本発明の空気調和機は、簡単な構成で前面パネルの外郭への取り付けが極めて容易で、しかも、係合部でのがたつきがないので、外郭の剛性が高まるものである。
【発明を実施するための最良の形態】
【０００９】
第１の発明は、圧縮機、送風ファンを内蔵する外郭を有し、前記外郭は、底板部と、前面パネルと、天板部と、左右の側板部から構成され、前記前面パネルは金属板からなる主板部と前記主板部に固定された樹脂製の前面部で形成され、前記左右の各側板部の上下に被係合部を設け、前記主板部の後部に前記被係合部に着脱自在に係合する係合部を設けたもので、前面パネルは、係合部と被係合部とで、左右、上下の位置で固定されるので、前面パネルの下部を底板部にネジ等で固定する必要がなくなり、組立およびサービス時の作業が容易に行える。また、主板部に設けた係合部は金属のため樹脂部品に発生するような応力による変形や折れは発生しない。
【００１０】
第２の発明は、特に、第１の発明の天板部の外周部にフランジ部を設け、前面パネルの上辺部の外周を前記フランジ部で保持するもので、フランジ部により前面パネルと側板部が固定されるので、上下および前後方向での係合部と被係合部間の係合隙間をつめることができる。
【００１１】
第３の発明は、特に、第１又は第２の発明の被係合部を縦長の穴形状とし、係合部は主板部の両側辺部に少なくとも一つかつ凸状に形成され、前記係合部を前記被係合部に差し込んで上下方向にスライドさせて係合するようにしたもので、前面パネルの側板部への取り付けは、係合部を被係合部に差し込んでスライドさせるだけで済むので、前面パネルの着脱が極めて容易である。
【００１２】
第４の発明は、特に、第１〜３のいずれか１つの発明の主板部と側板部の少なくとも一方に、係合部と被係合部との係合隙間をつめるための突起部を形成したもので、前面パネルを側板部に取りつけた時、突起部により係合部と被係合部間のがたつきが発生しないので、空気調和機の外郭としての剛性が高まり、変形し難くなるものである。
【００１３】
第５の発明は、特に、第１〜３のいずれか１つの発明の被係合部の下方にあざ折り部を形成したもので、被係合部下方のあざ折り部は他の部分より厚みが大きいので、それにより前面パネルを側板部に取りつけた時の、係合部と被係合部間の隙間が抑えられ、がたつきが発生しなくなり、空気調和機の外郭としての剛性が高まり、変形し難くなるものである。
【００１４】
以下本発明の実施の形態について、図面を参照しながら説明する。なお、この実施の形態によって本発明が限定されるものではない。
【００１５】
（実施の形態１）
図１は、本発明の第１の実施の形態における空気調和機の室外ユニットの外郭構成を示す斜視図で、図２は、要部拡大断面図である。なお、従来例と同一部分については同じ符号を用い、その説明を省略する。
【００１６】
図１および図２において、１は、空気調和機の室内ユニット（図示せず）と図示しない接続配管、電源接続線、信号接続線等を介して接続され同じく図示しない圧縮機、送風ファン、熱交換器等を内蔵した室外ユニットである。
【００１７】
室外ユニット１の外郭１ａは、底板部２と、前面パネル４と、天板部５と、左右に配した側板部３とで構成されている。天板部５と相対する両側板部３は各分離しており、前記両側板部３の上下に長穴状の被係合部８が設けられている。
【００１８】
前面パネル４は、複数の穴状の係止部１０ａを有し金属板で形成された主板部１０と、前記係止部１０ａに係止される突状の被係止部９ａを裏面に有するとともに樹脂で形成された前面部９から構成されている。
【００１９】
主板部１０の後部上下に、側板部３に形成された被係合部８と着脱自在に係合する係合部１１が突出して設けられ、被係合部８に係合部１１を差しこんで下方にスライドさせることにより、前面パネル４が側板部３に取り付けられる。また、前面パネル４を側板部３から取り外すときは、被係合部８に係合した係合部１１を上方にスライドさせて、抜くだけで良い。
【００２０】
以上のように、本実施の形態によれば、前面パネル４と両側板部３は、上下、左右に位置した係合部１１と被係合部８とで係合されているので、前面パネル４の下部を底板部２にネジ等で固定する必要がなく、さらに係合部１１と被係合部８とは着脱自在になっているので、組立およびサービス時の作業が非常に容易になるものである。
【００２１】
また、金属からなる主板部１０に設けられた係合部１１も金属のため、樹脂成型品に発生するような応力による変形および折れなどは発生しない。
【００２２】
なお、図３に示すように、係合部１１の内方に後下がり状の傾斜面１１ａを設けるようにすれば、前面パネル４の主板部１０の側板部３への装着をより容易にすることができる。
【００２３】
なお、上記実施の形態では、前面パネル４の主板部１０と前面部９との固定を、係止部１０ａに被係止部９ａを係止して固定するようにしたが、両者を接着或いは、 主板部１０に前面部９を一体成型するようにすれば、前面パネル４の強度が向上し、室外ユニット１の外郭１ａの剛性をより高める事ができるものである。
【００２４】
（実施の形態２）
図４は、本発明の第２の実施の形態における空気調和機の室外ユニットの外郭の分解斜視図である。図５は、同外郭の断面図である。なお、上記実施の形態と同一部分については同じ符号を用い、その説明を省略する。
【００２５】
本実施の形態は、図４、５に示すように、前面パネル４は前面視で略長方形状に形成されると共に、その上辺部１３を天板部５のフランジ部１４の内側に保持して固定するようにしたもので、左右両方の側板部３に係合された前面パネル４の上辺部１３が、天板部５のフランジ部１４で固定されるので、両方の側板部３が固定され上下および前後方向における係合部１１と被係合部８との間の係合隙間をつめることができる。
【００２６】
（実施の形態３）
図６は、本発明の第３の実施の形態における空気調和機の室外ユニットの要部拡大断面図である。なお、上記実施の形態と同一部分については同じ符号を用い、その説明を省略する。
【００２７】
本実施の形態は、図６に示すように、前面パネル４の主板部１０に設けた係合部１１を側板部３に形成した被係合部８に係合させたときに、係合部１１と被係合部８との間の係合隙間をつめるように、側板部３の被係合部８の近傍に主板部１０に当接する突起部１５を形成したもので、これにより、係合部１１と被係合部８との間のガタツキを抑制することができる。なお、突起部１５は、絞り加工等で容易に形成できるものである。
【００２８】
また、上記実施の形態では、突起部１５を側板部３側に設けたが、 主板部１０側に設けても良い。
【００２９】
図７は、係合部１１と被係合部８との間のガタツキを抑制する他の例を示すもので、被係合部８の下方にあざ折り部１６を形成したもので、あざ折り部１６は他の部分より肉厚になるので、係合部１１と被係合部８との間の係合隙間を抑制することができるものである。
【産業上の利用可能性】
【００３０】
以上のように、本発明にかかる空気調和機は、前面パネルをネジ止めをすることなく簡単に側板部に取りつけられ、しかも前面パネル側の係合部が折れたりすることがないので、複数の部材から構成される外郭を用いた各種機器に適用できるものである。
【図面の簡単な説明】
【００３１】
【図１】本発明の実施の形態１における空気調和機の室外ユニットの外郭の分解斜視図
【図２】同室外ユニットの要部拡大断面図
【図３】同室外ユニットの他の例を示す要部拡大断面図
【図４】本発明の実施の形態２における空気調和機の室外ユニットの外郭の分解斜視図
【図５】同室外ユニットの断面図
【図６】本発明の実施の形態３における空気調和機の室外ユニットの要部拡大断面図
【図７】同室外ユニットの他の例を示す要部拡大断面図
【図８】従来の空気調和機の室外ユニットの外郭の分解斜視図
【図９】同外郭の分解側面図
【符号の説明】
【００３２】
１    室外ユニット
１ａ    外郭
２    底板部
３    側板部
４    前面パネル
５    天板部
８    被係合部
９    前面部
１０    主板部
１１    係合部
１４    フランジ部
１５    突起部
１６    あざ折り部
【図１】
2005180793.tif 000003
【図２】
2005180793.tif 000004
【図３】
2005180793.tif 000005
【図４】
2005180793.tif 000006
【図５】
2005180793.tif 000007
【図６】
2005180793.tif 000008
【図７】
2005180793.tif 000009
【図８】
2005180793.tif 000010
【図９】
2005180793.tif 000011